(57)【特許請求の範囲】
【請求項１】
壁掛け型の空調室内機（４）において、
調和空気の吹出流路（８）を有するケーシング（５）と、
前記吹出流路の出口近傍に配置され、風向を調節する風向案内羽根（６１、６２）を複数有する風向調節部（６）と、
を備え、
前記複数の風向案内羽根は、前記吹出流路の左右の側壁（８７）の間に位置しており、
前記左右の側壁のうちのいずれかの側壁である所定側壁（８７）に対して最も近くに位置している前記風向案内羽根（６１）は、前記調和空気の空気流れの下流側ほど前記所定側壁に近い姿勢となっている状態で、
前記下流側の端部の一部である第１部分（６１ａ）と前記所定側壁との間の隙間が１０ｍｍ以下であり、かつ、
前記下流側の端部の第１部分以外である第２部分（６１ｂ、６１ｃ）は、前記所定側壁との間の隙間が１０ｍｍより大きい部分を有している、
空調室内機（４）。
【請求項２】
前記吹出流路の前記出口の前面側縁と背面側縁の間の中心部分もしくはその近傍部分において、前記風向案内羽根の前記第１部分と前記所定側壁との間の前記隙間が１０ｍｍ以下となっている、
請求項１に記載の空調室内機。
【請求項３】
複数の前記風向案内羽根には、左右方向の両端に位置している長羽根（６１）と、前記長羽根と比べて前記空気流れが沿う部分の長さが短い短羽根（６２）と、が含まれている、
請求項１または２に記載の空調室内機。
【請求項４】
前記ケーシングは、前記吹出流路の前記出口近傍から左右に広がっており、前記空気流れの主流方向に向けてなだらかに膨出した形状の膨出曲面（８５）を有している、
請求項１から３のいずれか１項に記載の空調室内機。
【請求項５】
前記空気流れの主流方向における前記膨出曲面（８５）の膨出高さ（ｈ１）は、前記吹出流路の左右の側壁（８７）と前記ケーシング（５）の左右の側面（５ｃ）との間の厚み（ｈ２）の半分以下である、
請求項４に記載の空調室内機。
【請求項６】
前記所定側壁と前記膨出曲面とは、前記膨出曲面における湾曲度合いよりも大きな湾曲度合いの曲面（８６）を介してなだらかに繋がっている、
請求項４または５に記載の空調室内機。
【請求項７】
前記膨出曲面から突出して左右方向に伸びているリブ（８１，８２、８３、６８１、６８２、６８３）をさらに備えた、
請求項４から６のいずれか１項に記載の空調室内機（４、６０４）。
【請求項８】
前記吹出流路の前記出口の下流側に配置され、前記吹出流路の左右の側壁のそれぞれに沿う流れの向きを変更させて左右に導く誘導板（４０９）をさらに備えた、
請求項１から７のいずれか１項に記載の空調室内機（４０４）。
【発明の詳細な説明】
【技術分野】
【０００１】
本発明は、空調室内機に関する。
【背景技術】
【０００２】
従来より、壁掛け型の空調室内機では、天井吊り下げ型の空気調和機と比べて吹出口を設けることができる位置が制限されているため、吹出口から左右方向へより広く調和空気を吹き出すことが求められている。
【０００３】
例えば、特許文献１（特開昭６２−１０５５３号公報）に記載の空気調和機では、吹出口の左右の側壁が、より広い左右への調和空気の吹き出しを阻害している点に着目し、吹出方向に向かうにつれて、吹出口の左右の幅が拡大するように湾曲させた構造を採用している。吹出口の左右の側壁を拡大させた形状を採用したこの空気調和機では、調和空気を左右に幅広く吹き出す状態で、吹出口の左右の側壁への空気流れが衝突してしまうことを抑えて、調和空気を左右方向に広げることを可能にしている。また、この左右に幅を拡大させた側壁部分では、左右方向になだらかに湾曲して形成された面を採用しているため、コアンダ効果が得られ、調和空気の吹出流れを湾曲面に沿わせることができ、さらに左右方向に広げることが可能になっている。以上により、調和空気を左右方向により広く吹き出すことができている。
【発明の概要】
【発明が解決しようとする課題】
【０００４】
上記特許文献１に記載の空気調和機では、吹出口の左右の側壁と垂直フラップとの間に広い空間が確保されているため、調和空気を左右に幅広く吹き出す状態であっても、垂直フラップと左右の側壁との間を通過する調和空気の流れは、速い風速を維持したままになる。このような調和空気の流れは、風速が速く、急激に左右方向に曲げることは難しい。このため、上記空気調和機では、風速の速い調和空気の流れをコアンダ効果によって少しずつ左右方向に広げるために、室内側（空気流れを直進させた場合の進行方向）に向かうにつれて左右方向に少しずつ広がるように形成した湾曲形状を採用している。この湾曲形状は、空気流れが表面を沿って流れる長さ（コアンダ効果が得られる長さ）をできるだけ長く確保するために、室内側に向けて長く伸びた形状となっている。
【０００５】
しかしながら、吹出口の左右の側面を、このように室内側に長く伸ばした形状を採用した場合には、装置が大型化してしまうことになる。
【０００６】
本発明は、上述した点に鑑みてなされたものであり、本発明の課題は、装置を大型化させることなく、吹き出し空気流れを左右により広く届けることが可能な空調室内機を提供することにある。
【課題を解決するための手段】
【０００７】
本発明の第１観点に係る空調室内機は、壁掛け型の空調室内機において、ケーシングおよび風向調節部を備えている。ケーシングは、調和空気の吹出流路を有している。風向調節部は、吹出流路の出口近傍に配置され、風向を調節する風向案内羽根を複数有している。複数の風向案内羽根は、吹出流路の左右の側壁の間に位置している。左右の側壁のうちのいずれかの側壁である所定側壁に対して最も近くに位置している風向案内羽根は、調和空気の空気流れの下流側ほど所定側壁に近い姿勢となっている状態で、下流側の端部の一部である第１部分と所定側壁との間の隙間が１０ｍｍ以下であり、かつ、下流側の端部の第１部分以外である第２部分は、所定側壁との間の隙間が１０ｍｍより大きい部分を有している。
【０００８】
ここで、「調和空気の空気流れの下流側ほど所定側壁に近い姿勢となっている状態」とは、ストッパ等の規制手段によって風向案内羽根が構造的に所定側壁に最も近づいている状態であってもよいし、風向案内羽根の傾斜状態が制御される場合において最も所定側壁に近づいている状態であってもよい。
【０００９】
また、「第１部分と所定側壁との間の隙間が１０ｍｍ以下」という状態は、第１部分と所定側壁の最近接距離が１０ｍｍ以下であれば特に限定されるものではなく、例えば、互いに接触している状態や、最近接距離が８ｍｍ以下である状態、最近接距離が５ｍｍ以下である状態、最近接距離が４ｍｍである状態、第１部分と所定側壁とが互いに接触している状態等が含まれる。
【００１０】
この空調室内機では、吹き出される調和空気は、所定側壁と風向案内羽根の第１部分との間の隙間が１０ｍｍ以下となっている部分は通過しにくく、所定側壁との間の隙間が１０ｍｍより大きくなっている部分を主として通過する。このため、吹き出される調和空気は、所定側壁と風向案内羽根との間を通過する際に、「風向案内羽根の第１部分と所定側壁との間の隙間が１０ｍｍ以下に狭く形成されている部分を通過することで流速が速められる」ということは生じにくい。吹き出される調和空気は、むしろ、風向案内羽根の第１部分と所定側壁との間の隙間が１０ｍｍ以下に狭く形成されている部分を避けて、第２部分と所定側壁との間を通過するようになり、第１部分と所定側壁との間の部分の通過流量は低く抑えられる。これにより、所定側壁と風向案内羽根の第１部分との隙間を通過した空気流れは、風速が小さく抑えられている。このため、複数の風向案内羽根のうち左右方向の端部に位置する風向案内羽根よりも内側に位置している風向案内羽根が形成した左右方向へ広がろうとする調和空気の流れは、上記所定側壁と風向案内羽根の第１部分との隙間を通過した空気流れによる影響を受けにくくなっており、左右方向への広がりが遮られる程度が小さく抑えられている。これにより、従来のように吹出口の左右の側壁を、室内側（空気流れを直進させた場合の進行方向）に長く伸ばした形状を採用しなくても、調和空気を左右に広く届けることが可能になっており、装置の大型化を回避することができている。さらに、このように所定側壁と風向案内羽根の第１部分との間の隙間が１０ｍｍ以下となるような狭い部分の近くにおいて、所定側壁と風向案内羽根の第２部分との間の隙間が１０ｍｍ以上に広く形成されているため、調和空気はこの広い部分に導かれ、所定側壁と風向案内羽根との間を通過する調和空気の圧力損失を抑えることが可能になっている。
【００１１】
以上により、吹き出される調和空気の圧力損失を小さく抑えつつ、調和空気を左右方向へより広く届けることが可能になっている。
【００１２】
本発明の第２観点に係る空調室内機は、第１観点に係る空調室内機において、吹出流路の出口の前面側縁と背面側縁の間の中心部分もしくはその近傍部分において、風向案内羽根の第１部分と所定側壁との間の隙間が１０ｍｍ以下となっている。なお、「中心部分もしくはその近傍部分」は、中心部分だけであってもよいし、中心部分の近傍部分だけであってもよいし、中心部分およびその近傍部分の両方を含んでいてもよい。例えば、風向案内羽根の第１部分は、中央部分のみ、中央部分の近傍部分のみ、中央部分とその近傍部分の両方、のいずれかであって、吹出流路の出口の前面側縁と背面側縁の間の距離の５０％未満の幅部分であってもよいし、４０％未満、３０％未満、２０％未満および１０％未満のいずれであってもよい。
【００１３】
空調室内機では、吹出口の中心付近を流れる調和空気の風速は、摩擦が無い分だけ、壁面に沿う部分を流れる調和空気の風速よりも速い。
【００１４】
この空調室内機では、このように吹出口の中心部分において、風向案内羽根の第１部分と所定側壁との間の１０ｍｍ以下の狭い隙間が採用されている。このため、吹出口の中央付近における調和空気の風速を効果的に低減させることができる。これにより、風向案内羽根のうちより内側に位置しているものが形成した左右方向へ広がろうとする調和空気の流れが、上記所定側壁と風向案内羽根の第１部分との間の隙間を通過した速い風速で直進する空気流れによって阻害されることを抑制できている。これにより、左右方向への広がりが遮られる程度をより効果的に小さく抑え、左右方向への調和空気の広がりをより確実に確保することが可能になる。
【００１５】
本発明の第３観点に係る空調室内機は、第１観点または第２観点に係る空調室内機において、複数の風向案内羽根には、左右方向の両端に位置している長羽根と、長羽根と比べて空気流れが沿う部分の長さが短い短羽根と、が含まれている。
【００１６】
なお、ここでは、左端の風向案内羽根と右端の風向案内羽根のみが長羽根である場合に限定されるものではない。例えば、左端の風向案内羽根と短羽根との間、および／または、右端の風向案内羽根と短羽根との間においてさらに長羽根が設けられていてもよい。また、左端の風向案内羽根と短羽根との間、および／または、右端の風向案内羽根と短羽根との間において、長羽根と短羽根との中間の大きさの風向案内羽根が設けられていてもよい。
【００１７】
この空調室内機では、内側に設けられている短羽根よりも、空気流れが沿う部分の長さが長い長羽根が左右方向の両端に設けられている。このため、所定側壁との間の隙間を１０ｍｍ以下にすることが可能となるように風向案内羽根が設けられている場合には、風向案内羽根の全てが短羽根の長さで統一されている場合と比較して、合計の羽根の枚数を少なく抑えることができる。なお、これにより、全ての風向案内羽根による圧力損失の合計値を小さく抑えることも可能になる。
【００１８】
本発明の第４観点に係る空調室内機は、第１観点から第３観点のいずれかに係る空調室内機において、ケーシングは、吹出流路の出口近傍から左右に広がっており、空気流れの主流方向に向けてなだらかに膨出した形状の膨出曲面を有している。なお、主流方向とは、吹出流路に沿って生じる空気流れについて、風向調節を行わない場合に生じる空気流れのうちの主な流れをいう。
【００１９】
この空調室内機では、膨出曲面が生じさせるコアンダ効果によって、風向案内羽根のうちより内側に位置している風向案内羽根が形成した左右方向へ広がろうとする調和空気の流れを、左右方向によりいっそう広げることが可能になる。
【００２０】
本発明の第５観点に係る空調室内機は、第４観点に係る空調室内機において、空気流れの主流方向における膨出曲面の膨出高さは、吹出流路の左右の側壁とケーシングの左右の側面との間の厚みの半分以下である。なお、ここでの吹出流路の左右の側壁とケーシングの左右の側面との間の厚みとは、例えば、吹出流路の出口近傍における厚みであってよい。また、膨出曲面の膨出高さは、例えば、２０ｍｍ以下であることが好ましく、１０ｍｍ以下であることがより好ましい。
【００２１】
この空調室内機では、膨出高さが低く抑えられているため、室内側の空気が吹出口の左右の側壁に向かって流れ込むことを抑制できる。
【００２２】
本発明の第６観点に係る空調室内機は、第４観点または第５観点に係る空調室内機において、所定側壁と膨出曲面とは、膨出曲面における湾曲度合いよりも大きな湾曲度合いでなだらかに繋がっている。ここで、湾曲度合いが大きいとは、例えば、曲率半径が小さいこと等が含まれる。
【００２３】
この空調室内機では、所定側壁と膨出曲面とは、なだらかに繋がっていることで、調和空気の流れがケーシングの表面から離れにくくして、コアンダ効果をより確実に得ることが可能になっている。また、所定側壁と膨出曲面とが繋がっている部分の湾曲度合いは、膨出曲面における湾曲度合いよりも大きな湾曲度合いとなっているため、吹出流路の出口を、十分に左右に広げることができている。これにより、調和空気の流れが膨出曲面から剥がれることを抑制しつつ、左右方向によりいっそう広く調和空気を供給することが可能になる。
【００２４】
本発明の第７観点に係る空調室内機は、第４観点から第６観点のいずれかに係る空調室内機において、膨出曲面から突出して左右方向に伸びているリブをさらに備えている。
【００２５】
この空調室内機では、吹出流路から流出した調和空気を、より確実に左右に案内させることが可能になる。
【００２６】
本発明の第８観点に係る空調室内機は、第１観点から第７観点のいずれかに係る空調室内機において、吹出流路の出口の下流側に配置され、吹出流路の左右の側壁のそれぞれに沿う流れの向きを変更させて左右に導く誘導板をさらに備えている。
【００２７】
この空調室内機では、吹出流路から流出した調和空気は、その進行方向が強制的により左右方向に広がるように誘導板によって調節されるため、より確実に調和空気を左右に案内させることが可能になる。
【発明の効果】
【００２８】
本発明の第１観点に係る空調室内機では、吹き出される調和空気の圧力損失を小さく抑えつつ、調和空気を左右方向へより広く届けることが可能になっている。
【００２９】
本発明の第２観点に係る空調室内機では、左右方向への調和空気の広がりをより確実に確保することが可能になる。
【００３０】
本発明の第３観点に係る空調室内機では、風向案内羽根の合計枚数を少なく抑えることができる。
【００３１】
本発明の第４観点に係る空調室内機では、調和空気の供給方向を、左右方向によりいっそう広げることが可能になる。
【００３２】
本発明の第５観点に係る空調室内機では、室内側の空気が吹出口の左右の側壁に向かって流れ込むことを抑制できる。
【００３３】
本発明の第６観点に係る空調室内機では、調和空気の流れが膨出曲面から剥がれることを抑制しつつ、左右方向によりいっそう広く調和空気を供給することが可能になる。
【００３４】
本発明の第７観点に係る空調室内機では、吹出流路から流出した調和空気を、より確実に左右に案内させることが可能になる。
【００３５】
本発明の第８観点に係る空調室内機では、より確実に調和空気を左右に案内させることが可能になる。
【図面の簡単な説明】
【００３６】
【図１】本発明の一実施形態に係る空気調和装置の概略構成図である。
【図２】水平フラップを取り除いた状態で下方斜め前方から見た空調室内機の吹出流路近傍の概略外観斜視図である。
【図３】水平フラップを取り除いた状態で下方前方から見た空調室内機の吹出流路近傍の概略外観斜視図である。
【図４】側面側から見た空調室内機の吹出流路近傍の概略断面図である。
【図５】風向案内羽根の回転軸方向から見た空調室内機の概略断面図である。
【図６】空調室内機の上面視概略断面図である。
【図７】他の実施形態（５−１）に係る空調室内機の上面視概略断面図である。
【図８】他の実施形態（５−２）に係る空調室内機の上面視概略断面図である。
【図９】他の実施形態（５−３）に係る空調室内機の風向案内羽根の回転軸方向から見た概略断面図である。
【図１０】他の実施形態（５−４）に係る下方斜め前方から見た空調室内機の吹出流路近傍の概略外観斜視図である。
【図１１】他の実施形態（５−５）に係る空調室内機の上面視概略断面図である。
【図１２】従来の空調室内機の風向案内羽根が下流側に位置している上面視概略断面図である。
【図１３】従来の空調室内機の風向案内羽根が上流側に位置している上面視概略断面図である。
【図１４】参考例に係る空調室内機の風向案内羽根の回転軸方向から見た概略断面図である。
【発明を実施するための形態】
【００３７】
以下、図面を参照しつつ、本発明の一実施形態としての空気調和装置１を説明する。
【００３８】
図１に、空気調和装置１の冷媒回路１０を示す冷媒回路図を示す。
【００３９】
（１）空気調和装置１の概略構成
空気調和装置１は、熱源側装置としての空調室外機２と、利用側装置としての空調室内機４とが冷媒配管によって接続されて、利用側装置が配置された空間の空気調和を行う。この空気調和装置１は、冷媒回路１０、各種センサおよび制御部７０を有している。
【００４０】
冷媒回路１０は、圧縮機２１、四路切換弁２２、室外熱交換器２３、室外電磁膨張弁２４、アキュームレータ２５、室外ファン２６、室内熱交換器４１、および、室内ファン４２等を備えており、これらが接続されることで構成されている。なお、圧縮機２１、四路切換弁２２、室外熱交換器２３、室外電磁膨張弁２４、アキュームレータ２５、および、室外ファン２６は、空調室外機２内に収容されており、室内熱交換器４１および室内ファン４２は、空調室内機４内に収容されている。室外ファン２６は、プロペラファンが採用されている。室内ファン４２は、クロスフローファンが採用されている。なお、室内空調機４の詳細については、後述する。
【００４１】
四路切換弁２２は、冷房運転サイクルと暖房運転サイクルとを切換可能である。図１では、冷房運転を行う際の接続状態を実線で示し、暖房運転を行う際の接続状態を点線で示している。暖房運転時には、室内熱交換器４１が冷媒の冷却器として、室外熱交換器２３が冷媒の加熱器として機能する。冷房運転時には、室外熱交換器２３が冷媒の冷却器として、室内熱交換器４１が冷媒の加熱器として機能する。
【００４２】
制御部７０は、空調室外機２内に配置される機器を制御する室外制御部７２、空調室内機４内に配置されている機器を制御する室内制御部７４、ユーザからの各種設定入力を受け付けたり各種表示出力を行ったりするコントローラ７１、および、各種センサが、通信線７０ａによって接続されることで構成されている。この制御部７０は、空気調和装置１を対象とした種々の制御を行う。
【００４３】
この制御部７０は、コントローラ７１を介してユーザから、各種運転の設定を受け付けて、各種制御を行う。
【００４４】
（２）空調室内機４の詳細
図２に、水平フラップを取り除いた状態で下方斜め前方から見た空調室内機４の概略外観斜視図を示す。図３に、水平フラップを取り除いた状態で下方前方から見た空調室内機の概略外観斜視図を示す。図４に、側面側から見た空調室内機の概略断面図を示す。図５に、風向案内羽根の回転軸方向から見た空調室内機の概略断面図を示す。図６に、上面視における空調室内機の概略断面図を示す(図６においては、水平フラップ４５は図示を省略している。)。
【００４５】
空調室内機４は、上述した室内熱交換器４１、室内ファン４２以外に、本体ケーシング５、外側垂直フラップ６１、内側垂直フラップ６２等を有している。
【００４６】
（２−１）本体ケーシング５
本体ケーシング５は、前面側を覆うフロントパネル５ａ、下面側を覆う下面パネル５ｂ、吹出口の左右に設けられた湾曲面部８０、および、これらに囲まれて形成されている吹出流路８等を有している。
【００４７】
フロントパネル５ａの下方は、背面側に傾斜して伸びており、吹出流路８の吹出口の上縁を構成している。
【００４８】
下面パネル５ｂは、略水平方向に広がったパネルであり、前方の縁部が吹出流路８の下縁を構成している。
【００４９】
吹出流路８は、本体ケーシング５の下面パネル５ｂと、フロントパネル５ａと、の間において、前側の斜め下方に向けて開口している吹出口を有している。下面パネル５ｂの前方側縁部からは、図４に示すように、上方に向かうにつれて背面側に伸びるようにして背面下方側に凸となるように湾曲しながら、吹出流路８の背面を構成する吹出背面８ａが伸びている。また、フロントパネル５ａの下端縁部からは、図４に示すように、上方に向かうにつれて背面側に伸びるようにして背面下方側に凸となるように湾曲しながら、吹出流路８の前面を構成する吹出前面８ｂが伸びている。
【００５０】
湾曲面部８０は、吹出流路８の出口である吹出口の左右それぞれに設けられており、フロントパネル５ａの下端縁部と下面パネル５ｂの前端縁部との間をつなぐように広がっている。左右方向でかつ吹出流路８の奥行き方向に広がる平面で切った断面図である図５に示すように、この湾曲面部８０は、室内側に膨出するように膨出曲面８５（図５において、一部を二点鎖線で示す。）が構成されている。また、この膨出曲面８５は、湾曲面部８０の左右方向における中心部分を構成しており、フロントパネル５ａの下端縁部から下面パネル５ｂの前縁部に向けて膨出頂点が連なるようにして構成されている。この膨出曲面８５が湾曲している程度は、本実施形態では、図５に示すように、曲率半径Ｒ１が概ね１００ｍｍ程度となるように形成されている。なお、膨出曲面８５の膨出高さｈ１（風向が調節されずに直進している際の主流れ方向の幅）は、吹出流路８の出口近傍の第１側壁８７と本体ケーシング５の側面部５ｃとの間の厚みｈ２の半分以下となるように形成されている。この膨出高さｈ１は、厚みｈ２の３０％以下であることが好ましく、例えば、２０ｍｍ以下であることがより好ましく、１０ｍｍ以下であることが最も好ましい。また、膨出曲面８５の背面側（本体ケーシング５の内側）の面には、電装部品や構造部品が近くまで迫るようにして配置されている。
【００５１】
なお、湾曲面部８０は、膨出曲面８５の左右方向における外側と、本体ケーシング５の側面部５ｃと、の間をなだらかに繋ぐ外側曲面８４を有している。また、湾曲面部８０は、膨出曲面８５の左右方向における内側と、吹出流路８の出口近傍の側壁を構成する第１側壁８７と、の間をなだらかにつなぐ内側曲面８６を有している。この内側曲面８６の曲率半径Ｒ２は、上記膨出曲面８５の曲率半径Ｒ１よりも小さくなるように形成されている。
【００５２】
この湾曲面部８０には、図２，図３、および、図５に示すように、左右方向の外側において湾曲面部８０に垂直であってかつ左右方向に延びているガイドリブ８１、８２、８３が形成されている。このガイドリブ８１、８２、８３は、湾曲面部８０の左右方向の中央近傍から外側曲面８４の手前付近にかけて、互いに平行に伸びるように形成されている。また、これらのガイドリブ８１、８２、８３は、前後方向に等間隔に配置されている。
【００５３】
吹出流路８の出口近傍の第１側壁８７は、吹出流路８の上流側に向けて広がった後、僅かな幅（図５における「ｄ２」で示す幅）だけ左右方向内側に盛り上がった段差部分８８を介して、さらに吹出流路８の上流側に向けて広がった第２側壁８９と繋がっている。このようにして、吹出流路８の側壁は、主として、出口近傍の第１側壁８７と、第１側壁８７よりも上流側において第１側壁８７と略面平行の関係となるように広がった第２側壁８９と、によって構成されている。なお、図示は省略するが、吹出流路８の左右の第１側壁８７および第２側壁８９は、互いに対称的な形状となるように設けられている。なお、吹出流路８の出口である吹出口は、左右の第１側壁８７の風下側端部同士を結んだ面とすることができる。
【００５４】
吹出流路８の上流側の本体ケーシング５内部には、クロスフローファンである室内ファン４２が配置されており、この室内ファン４２が制御部によって駆動制御されることで吹出流路８に空気流れが形成される。ここで、吹出風量は、６段階に調節可能であり、具体的には、水平フラップ４５、外側垂直フラップ６１および内側垂直フラップ６２が最も通風抵抗が小さい姿勢となった状態で、小容量機であれば風速３〜６ｍ／ｓ（大容量機であれば風速５〜８ｍ／ｓ）の範囲内で、ユーザが選択できるようになっている。
【００５５】
（２−２）水平フラップ４５
水平フラップ４５は、図示しない水平フラップ駆動機構によって、吹き出し空気流れの進行方向を上下に変更できるように姿勢が変更される。この水平フラップ４５の姿勢の制御は、ユーザの設定を受けた制御部７０によって行われる。この水平フラップ４５は、図４の状態において、空気流れ下流側の面（室内側を向いた面）は、わずかに室内側に凸となるように湾曲して形成されている。
【００５６】
なお、水平フラップ４５は、運転停止状態では、図４に示すように、吹出流路８の出口である吹出口を覆った状態になる。この状態では、水平フラップ４５の前方の縁部は、フロントパネル５ａの下縁と略平で概ね接した状態となり、側面視においてなだらかに繋がっているような状態になる。なお、水平フラップ４５の背面側の縁部は、下面パネル５ｂの前方側縁部との間に僅かに隙間を確保しつつ、側面視においてなだらかに繋がっているような状態になる。
【００５７】
（２−３）外側垂直フラップ６１および内側垂直フラップ６２
外側垂直フラップ６１は、図２、図３に示すように、吹出流路８の右側面である第１側壁８７および第２側壁８９の最も近くに配置されている垂直フラップである。外側垂直フラップ６１は、斜め前後方向（空気流れ方向（主流方向）に対して垂直な方向）を長手方向とする軸部材６１ｘによって回転可能に軸支されている。なお、図示は省略するが、吹出流路８の左側面である第１側壁８７および第２側壁８９の最も近くにおいても、同様に外側垂直フラップ６１が配置されている。
【００５８】
内側垂直フラップ６２は、右側の外側垂直フラップ６１と、左側の外側垂直フラップ６１との間に複数枚配置されている。内側垂直フラップ６２は、斜め前後方向を長手方向とする軸部材６２ｘによって回転可能に軸支されている。
【００５９】
外側垂直フラップ６１と内側垂直フラップ６２とは、風向調節せずに調和空気を室内へまっすぐ吹き出す姿勢の状態（各外側垂直フラップ６１と内側垂直フラップ６２が、吹出流路８の第１側壁８７および第２側壁８９と略面平行の状態）では、左右方向における隣同士の間隔が全て等しくなるように配置されている。
【００６０】
外側垂直フラップ６１および内側垂直フラップ６２は、図１および図２に示すように、吹出流路８内の空気流れ方向（主流方向）に垂直な面において、吹出流路８の吹出背面８ａと吹出前面８ｂとの間の中央部分６１ａが、最も風下側まで長く伸びるように形成されている。なお、外側垂直フラップ６１の風下側の縁のうち、中央部分６１ａよりも吹出前面８ｂ側である上方部分６１ｂは、中央部分６１ａよりも空気流れ方向上流側に位置するように短く形成されている。外側垂直フラップ６１の風下側の縁のうち、中央部分６１ａよりも吹出背面８ａ側である下方部分６１ｃも同様に、中央部分６１ａよりも空気流れ方向上流側に位置するように短く形成されている。
【００６１】
なお、外側垂直フラップ６１は、内側垂直フラップ６２と比べて、空気流れ方向（主流方向）における長さが長くなるように形成されている。
【００６２】
各外側垂直フラップ６１と各内側垂直フラップ６２とは、吹出流路８内において、任意の角度に調整された状態で、いずれも、全体が膨出曲面８５よりも風上側に位置するように配置されている。なお、図５において実線で示すように、各外側垂直フラップ６１と各内側垂直フラップ６２とが、左右方向に最も傾斜するように制御された状態では、吹出流路８の吹出口（左右の第１側壁８７の風下側端部同士を結んだ面）よりも、全体が空気流れ方向上流側に位置している。上述したように、外側垂直フラップ６１は、吹出背面８ａと吹出前面８ｂとの間の真ん中部分が、最も長く伸びた形状となっているため、左右方向に最も傾斜するように制御された状態では、下流側の先端部分が吹出流路８の第１側壁８７に最も近づくことになる。図５および図６に示すように、この状態で、外側垂直フラップ６１の空気流れ方向下流側端部と、吹出流路８の第１側壁８７との最近接距離ｄ１は、１０ｍｍ以下となるように、外側垂直フラップ６１の位置が調節されている。
【００６３】
各外側垂直フラップ６１と各内側垂直フラップ６２とは、図６に示すように、吹出流路８において、右半分のグループと、左半分のグループと、に分かれている。これらのうち、右半分のグループに属する外側垂直フラップ６１と内側垂直フラップ６２は、図１、図２に示すように、傾斜状態が一体的に調整可能なようにシャフト６９によって、これらの全てが連結されている。このシャフト６９は、制御部７０によって、左右方向の吹き出し角度の調節制御が行われる際に、図示しない駆動モータから動力を受けて左右に移動し、右半分のグループに属する外側垂直フラップ６１と内側垂直フラップ６２の傾斜状態を一体的に調節する。また、左半分のグループについても同様である。図６では、右半分のグループの外側垂直フラップ６１と内側垂直フラップ６２が吹き出し方向を右側へ調節され、左半分のグループの外側垂直フラップ６１と内側垂直フラップ６２が左側へ調節された状態を表している。このようにして、外側垂直フラップ６１、軸部材６１ｘ、内側垂直フラップ６２、軸部材６２ｘ、シャフト６９等によって、風向調節部６が構成されている。
【００６４】
（３）空気流れについて
以上の構成の空調室内機４において、内部に収容されている室内ファン４２が駆動すると、吹出流路８を通じて室内側に調和空気が吹き出される。
【００６５】
ここで、図６に示すように、調和空気の供給先が左右に最も広がるように、外側垂直フラップ６１と内側垂直フラップ６２とが調節されている場合には、図５に示すように、吹出流路８の第２側壁８９を沿うように流れる空気流れＦ９は、吹出流路８の第１側壁８７と外側垂直フラップ６１の中央部分６１ａとの間が非常に狭くなっている（１０ｍｍ以下に調節されている）ため、吹出背面８ａと吹出前面８ｂの真ん中の部分を通過しようとする調和空気の流れは流速が低減される。ここで、風向が調節されずに調和空気が直進している状態では、空気流れＦ９のうち吹出背面８ａと吹出前面８ｂの真ん中の部分において風速が最も速くなっている。上記構造は、この最も速い風速の空気流れを低く抑えることが可能になっている。この構造により、空気流れＦ９のうち吹出背面８ａと吹出前面８ｂの真ん中の部分の通過が制限された流れは、第１側壁８７との間の隙間がより広い部分である、外側垂直フラップ６１の上方部分６１ｂと第１側壁８７との間の隙間や、下方部分６１ｃと第１側壁８７との間の隙間に向かうように導かれる。
【００６６】
このため、図５に示すように、外側垂直フラップ６１とその直ぐ隣の内側垂直フラップ６２との間を流れることで左右方向に広がるように進行方向が曲げられ空気流れＦ３は、空気流れＦ５となる（図２、図３参照）。このため、左右方向への広がる流れが空気流れＦ９によって遮断されることがない。この空気流れＦ５は、内側垂直フラップ６２によって、すでに左右方向外側に広がる方向に向けて進行方向が大きく曲げられている。そして、空気流れＦ５は、吹出流路８の第１側壁８７に衝突することなく、室内側になだらかに膨出して形成された膨出曲面８５の表面をコアンダ効果によって沿うことができ、さらに左右方向に広がるように流れる。このようにして、調和空気を左右方向に広く届けることが可能になっている。このため、従来の技術のように、主流方向における膨出高さを高く確保しなくても（左右に広げるためにコアンダ効果が得られる長さを長く確保しなくても）、調和空気を左右方向に広く届けることができるようになっている。そして、膨出曲面８５の主流方向における高さを低く抑えた場合であっても、調和空気を左右方向に広く届けることができ、装置の大型化を回避できている。
【００６７】
空気流れＦ５の左右方向に広がろうとする流れは、湾曲面部８０の左右方向外側に設けられたガイドリブ８１、８２、８３によって、さらに左右方向に案内される。
【００６８】
（４）上記実施形態の特徴
（４−１）従来の問題点
例えば、図１２に示すように、従来の空調室内機９０１では、吹出口の左右の側壁が下流側に長く伸びている場合（室内ファン９４２の下流側端部から距離ｄ９１の分だけ下流側に長い場合）には、吹出口の左右の下流側近傍において、収容物９０９（風向調節羽根の姿勢を変えるためのモータ、端子台、および、配線等の電装品）を収容するためのスペースを確保できる。しかし、内側の垂直フラップによって進行方向が左右に広がるように調節された空気流れＦ７は、下流側まで長く伸びた左右の側壁に衝突してしまい、左右方向に広がることができなくなっている。また、吹出口の左右の側壁と垂直フラップとの間のスペースが広いため、吹出流路の左右の側壁を沿うように流れる空気流れＦ９１は、通過する風量が多いため、風速が速い。このため、内側の垂直フラップによって進行方向が左右に広がるように調節された空気流れＦ７は、この風速の速い空気流れＦ９１によって、左右方向への広がりが阻害されてしまい、左右方向に広がりの無い空気流れＦ９５にしてしまう。
【００６９】
これに対して、例えば、図１３に示すように、他の従来の空調室内機９０２では、吹出流路の左右の側壁が、出口側に向かうにつれて左右に広がるように湾曲して形成されている（図１２の距離ｄ９１よりも室内ファン９４２の下流側端部からの距離が短く、吹出流路内に入り込んだ位置である距離ｄ９２の位置から左右方向に広がって形成されている）。この他の従来の例では、図１３の右側に示すように、垂直フラップが左右方向に広がる空気流れを生じさせる傾斜状態において、側壁が左右方向への広がりを阻害してしまう問題点を改善できている。また、吹出流路の出口近傍における湾曲面は、主流方向の下流側（室内側）に向かうにつれて、左右方向に少しずつ広がるように形成されており、空気流れが沿うことができる長さを長く確保している。このため、左右の側壁と垂直フラップとの間の広いスペースを通過した風速の速い空気流れＦ９２であっても、湾曲面に沿って流れる距離が長く確保されており、より多くのコアンダ効果が得られるようになっている。このため、十分なコアンダ効果によって湾曲面に空気流れＦ９３を沿わせながら、さらに左右方向に広げることが可能になっている。しかし、この場合には、図１３に示すように、吹出流路の側壁が上流側から左右に広がっているため、収容物９０９の収容スペースが制限されてしまう。また、仮に、収容物９０９の収容スペースを確保しつつ、コアンダ効果が得られる程度の湾曲面を形成しようとすると、やはり、室内側に向けて装置が大型化してしまう。他方、図１３の左側に示すように、垂直フラップを傾斜させることなく調和空気を直進させる状態では、室内側に向けて直進する空気流れＦ８と、側面との間で直進する空気流れＦ９６が生じ、湾曲面を沿うように左右に広がる流れは生じにくい。このため、湾曲面の表面近傍は圧力が低い状態になり、調和されていない室内側の空気が流れ込みやすく(空気流れＦ９７が生じやすく)、サージングや冷房時の結露を生じさせてしまう。
【００７０】
（４−２）上記実施形態の空調室内機４による問題点の解決
これに対して、上記実施形態の空調室内機４では、吹出流路８の第２側壁８９を沿うように流れる空気流れＦ９のうち、直進時に風速が最も速くなる部分である吹出流路８の中央部分を通過する流れは、通過する隙間が狭くなるように（第１側壁８７と外側垂直フラップ６１の中央部分６１ａとが１０ｍｍ以下に近づくように）調節されていることから、この狭い部分を避けて流れるようになり、通過風量が抑えられることで速度が低減されている。このため、空気流れＦ９は、内側垂直フラップ６２によって進行方向が左右方向に広げられた空気流れＦ３を阻害しにくい。このため、内側垂直フラップ６２によって進行方向が左右方向に広がるように曲げられた空気流れＦ３は、そのまま左右方向に広がっていくことができている。また、この場合であっても、外側垂直フラップ６１の上方部分６１ｂおよび下方部分６１ｃは、吹出流路８の第１側壁８７との隙間がより広く確保されているため、圧力損失が増大し過ぎることがない。
【００７１】
また、この左右方向へ広がる空気流れを生じさせることにより、図１２の例で述べたような調和されていない空気が室内側から流れ込むことを抑制できており、サージングや結露の発生を抑制できている。
【００７２】
そして、上記実施形態の湾曲面部８０は、外側垂直フラップ６１および内側垂直フラップ６２の風下側端部まで伸びている。また、上述の構造によって調和空気を左右方向に広げることができているため、図１３で示す従来の例のようにコアンダ効果を十分確保するために空気流れが沿って流れる湾曲面を長く設ける必要が無く、膨出高さｈ１を短くすることができている。このため、収容物を収容するためのスペースを確保することができるとともに、装置が大型化し過ぎてしまうことを避けることができている。
【００７３】
なお、上記外側垂直フラップ６１は、内側垂直フラップ６２よりも空気流れ方向（主流方向）の長さが長く構成されている。これにより、垂直フラップの全てを内側垂直フラップ６２と同じもので統一した場合と比較して、第１側壁８７との隙間を小さく抑えるために必要となる垂直フラップの合計枚数を少なく抑えることが可能になっている。
【００７４】
また、吹出流路８の出口近傍から左右に広がるように設けられた膨出曲面８５が、空気流れ方向（主流方向）の下流側に向けて膨出して形成されているとともに、第１側壁８７からなだらかな内側曲面８６を介して繋がっているため、左右方向に風向が案内された空気流れを、曲面から剥がすことなく、コアンダ効果によってさらに左右方向に広げることが可能になっている。さらに、上記空気流れの左右方向への広がりは、ガイドリブ８１、８２、８３によって、より確実に左右方向に導くことが可能になっている。
【００７５】
（５）他の実施形態
（５−１）
上記実施形態では、外側垂直フラップ６１と内側垂直フラップ６２とで、空気流れ方向の長さが異なる場合を例に挙げて説明した。
【００７６】
しかし、本発明はこれに限られず、例えば、図７に示すように、空気流れ方向の長さが外側垂直フラップ６１と内側垂直フラップ２６２とで共通している空調室内機２０４であってもよい。
【００７７】
（５−２）
上記実施形態では、本体ケーシング５の湾曲面部８０の左右方向外側端部がなだらかに湾曲して形成された外側曲面８４を有している場合を例に挙げて説明した。
【００７８】
しかし、本発明はこれに限られず、例えば、図８に示すように、外側曲面が設けられておらず、左右の側面に至るまで左右方向に伸び続けて構成されたコーナー形状３８４が採用された空調室内機３０４であってもよい。
【００７９】
（５−３）
上記実施形態では、外側垂直フラップ６１と吹出流路８の第１側壁８７との距離を狭めること等によって、左右方向への調和空気の広がりを実現させた場合を例に挙げて説明した。
【００８０】
しかし、本発明はこれに限られず、例えば、図９に示すように、外側垂直フラップ６１や第１側壁８７等とは別部材として、出口から流れ出た空気流れを強制的に左右方向に案内して空気流れＦ４０５を生じさせる誘導板４０９を備えた空調室内機であってもよい。
【００８１】
ここで、誘導板４０９は、吹出流路８の第２側壁８９の面の延長線Ｌ上に一部が重なるように配置されていることが望ましい。
【００８２】
例えば、図１４のように、誘導板９０９の全体が、吹出流路８の第２側壁８９の面の延長線Ｌよりも左右方向外側に位置している空調室内機９０３の場合には、空気流れを左右方向に広げる効果を十分に得ることができない。
【００８３】
（５−４）
上記実施形態では、左右方向に広がるように空気流れを案内させる姿勢において、外側垂直フラップ６１と吹出流路８の第１側壁８７との間の隙間が１０ｍｍ以下となるように調節されている場合を例に挙げて説明した。
【００８４】
しかし、本発明はこれに限られず、外側垂直フラップ６１と吹出流路８の第１側壁８７との間の隙間の値は、１０ｍｍ以下であれば特に限定されるものではなく、例えば、８ｍｍ以下となるように調節してもよいし、６ｍｍ以下となるように調節してもよいし、４ｍｍ以下となるように調節してもよいし、外側垂直フラップ６１と吹出流路８の第１側壁８７とが互いに接触していてもよい。
【００８５】
さらには、図１０に示すように、外側垂直フラップ５６１の下流側の先端が吹出流路８の第１側壁８７と点Ｐにおいて接触するように構成された空調室内機５０４であってもよい。
【００８６】
（５−５）
上記実施形態では、ガイドリブ８１、８２、８３は、左右方向にまっすぐ伸びて設けられている場合を例に挙げて説明した。
【００８７】
しかし、本発明はこれに限られず、例えば、図１１に示すように、左右方向への案内機能をより強化させ、左右方向に広げつつわずかに背面側にもガイドされた空気流れＦ６０５が生じるように、湾曲して形成されたガイドリブ６８１、６８２、６８３を有する空調室内機６０４であってもよい。
【００８８】
（５−６）
上記実施形態では、外側垂直フラップ６１と吹出流路８の第１側壁８７との間の隙間を制御部７０によるシャフト６９の位置制御によってコントロールした場合を例に挙げて説明した。
【００８９】
しかし、本発明はこれに限られず、例えば、ユーザが手動により外側垂直フラップ６１の傾斜状態を調節して、第１側壁８７との間の隙間が１０ｍｍ以下となるようにしてもよい。
【００９０】
さらに、外側垂直フラップ６１の左右方向への最大傾斜状態において、第１側壁８７との間の隙間が１０ｍｍ以下となるように、物理的なストッパや位置決め手段等が設けられていてもよい。
【００９１】
（５−７）
上記実施形態では、左右方向に吹き出し空気流れを広げる場合を例に挙げて説明した。
【００９２】
しかし、本発明はこれに限られず、例えば、左方向のみに空気流れを向ける場合や、右方向のみに空気流れを向ける場合についても、同様に適用することができる。
【産業上の利用可能性】
【００９３】
本発明の空調室内機は、左右方向に広く調和空気を供給しようとする装置に適用した場合に、特に有用である。
【符号の説明】
【００９４】
４  空調室内機
５  本体ケーシング（ケーシング）
５ｃ    側面部（側面）
６  風向調節部
８  吹出流路
６１  外側垂直フラップ（風向案内羽根、長羽根）
６１ａ  中央部分（第１部分）
６１ｂ  上方部分（第２部分）
６１ｃ  下方部分（第２部分）
６２  内側垂直フラップ（短羽根）
８５  膨出曲面
８６  内側曲面（曲面）
８１，８２、８３、６８１、６８２、６８３  ガイドリブ（リブ）
４０９  誘導板
【先行技術文献】
【特許文献】
【００９５】
【特許文献１】特開昭６２−１０５５３号公報
【要約】
【課題】吹き出し空気流れを左右により広く届けることが可能な空調室内機を提供する。
【解決手段】壁掛け型の空調室内機４において、本体ケーシング５および風向調節部６を備えている。本体ケーシング５は、調和空気の吹出流路８を有している。風向調節部６は、吹出流路８の出口近傍に配置され、風向を調節する外側垂直フラップ６１と内側垂直フラップ６２を有している。吹出流路８の第１側壁８７に対して最も近くに位置している外側垂直フラップ６１は、調和空気の空気流れの下流側ほど第１側壁８７に近い姿勢となっている状態で、下流側の端部の一部である中央部分６１ａと第１側壁８７との間の隙間が１０ｍｍ以下であり、かつ、下流側の端部の中央部分６１ａ以外である上方部分６１ｂ、下方部分６１ｃと第１側壁８７との間の隙間が１０ｍｍより大きい部分を有している。
【選択図】図５【図１】
0005120482.tif 000002
【図２】
0005120482.tif 000003
【図３】
0005120482.tif 000004
【図４】
0005120482.tif 000005
【図５】
0005120482.tif 000006
【図６】
0005120482.tif 000007
【図７】
0005120482.tif 000008
【図８】
0005120482.tif 000009
【図９】
0005120482.tif 000010
【図１０】
0005120482.tif 000011
【図１１】
0005120482.tif 000012
【図１２】
0005120482.tif 000013
【図１３】
0005120482.tif 000014
【図１４】
0005120482.tif 000015